(57)【特許請求の範囲】
【請求項１】
ケーブルの抗張力線の端部にカシメスリーブを取付けて牽引する治具であって、牽引端治具本体の端部に前記ケーブル抗張力線の挿通溝穴とカシメスリーブとの嵌入溝穴を段差を付けて連続形成し、前記牽引端治具本体には少なくとも前記カシメスリーブの嵌入溝穴の開口部を開閉する閉鎖カバーを常閉方向に付勢して取付けたことを特徴とするケーブル牽引端治具。
【請求項２】
前記牽引端治具本体には牽引ロープ等の連結用ブラケットを取付けてなり、このブラケットを治具本体に対してボール継手により回転自在としたことを特徴とする請求項１に記載のケーブル牽引端治具。
【請求項３】
前記牽引治具本体を保護する防護カバーを有するとともに、当該防護カバーへのケーブル差込み端部にはケーブル抗張力線を挿通してケーブルの先端部を嵌入保持し前記防護カバー内に差込み装着されるプラグを有してなることを特徴とする請求項１に記載のケーブル牽引端治具。
【発明の詳細な説明】
【０００１】
【発明の属する技術分野】
本発明はケーブル牽引端治具に係り、ケーブルを架設するに際してケーブルの端部牽引に用いるのに好適な牽引端治具に関する。
【０００２】
【従来の技術】
電柱間に張り渡された支持線や既設ケーブルに沿って新設光ケーブルを架渉する作業は、電柱支持線に平行に新設ケーブルを敷設するために、電柱支持線に架渉用移動金車を複数懸吊しておき、この移動金車の中央に形成される孔内に光ケーブルを挿通するようにしている。そして、金車同士を一定長のロープで連結しておき、複数の金車に挿通させた光ケーブルの端部に牽引治具を取り付けておき、これを牽引することによって、光ケーブルを金車内部を滑走させつつ支持線に沿って新設光ケーブルを架渉させる。
【０００３】
このような光ケーブルの架渉作業において、光ケーブルを牽引する際、光ケーブルには牽引用の光ケーブル抗張力線が内蔵あるいは平行に取り付けられており、光ケーブル保護心線の観点からこの光ケーブル抗張力線を直接牽引するようにしている。
【０００４】
従来の抗張力線を牽引できるように処理する作業は、抗張力線を光ケーブル先端部から比較的長く剥き出してリング状に形成し、先端を結着するようにしている。そして、このリング部を牽引端としてロープ等を結び付けて牽引をなしている。
【０００５】
【発明が解決しようとする課題】
しかし、従来の牽引治具を用いた方法では、時間が掛かるとともに、大きな牽引張力が加わるために、牽引端処理に特殊な技術力が要求され、このような特殊技能者にしか作業ができないものであった。
【０００６】
本発明は、上記従来の問題点に着目し、ケーブル、特に光ケーブルの心線への悪影響を与えることなく、特殊な技能を要することなく、短時間で簡単に牽引端作成作業をなすことができるケーブル牽引端治具を得ることを目的としている。また、牽引端治具を繰返し使用できるようにして経済性が高く、確実に牽引張力を得るように誤操作が生じないように工夫したケーブル牽引端治具を提供することを目的とする。
【０００７】
【課題を解決するための手段】
上記目的を達成するために、本発明に係るケーブル牽引端治具は、ケーブルの抗張力線の端部にカシメスリーブを取付けて牽引する治具であって、牽引端治具本体の端部に前記ケーブル抗張力線の挿通溝穴とカシメスリーブとの嵌入溝穴を段差を付けて連続形成し、前記牽引端治具本体には少なくとも前記カシメスリーブの嵌入溝穴の開口部を開閉する閉鎖カバーを常閉方向に付勢して取付けたことを特徴とするものである。
【０００８】
この場合において、前記牽引端治具本体には牽引ロープ等の連結用ブラケットを取付けてなり、このブラケットを治具本体に対してボール継手により回転自在とすればよい。また、前記牽引治具本体を保護する防護カバーを有するとともに、当該防護カバーへのケーブル差込み端部にはケーブル抗張力線を挿通してケーブルの先端部を嵌入保持し前記防護カバー内に差込み装着されるプラグを有する構造とすることが望ましい。
【０００９】
【作用】
上記構成によれば、ケーブル抗張力線にカシメスリーブを取付けることによりこれを係止することでケーブル把持力を発生させることができる。このため、治具本体にはケーブル抗張力線の挿通溝穴とカシメスリーブとの嵌入溝穴を段差を付けて形成しているので、抗張力線より大径のカシメスリーブは段差面に係合して牽引力を支持することができる。カシメスリーブとの嵌入溝穴は常閉方向に付勢された閉鎖カバーにより覆われているので、牽引作業中に離脱することが防止される。また、防護カバーとプラグを用いてケーブルの端部を保護する構成とすることで、牽引作業時にケーブルの心線に悪影響を与えることがない。また、カシメスリーブを抗張力線にカシメる際にスリーブが正しく圧着されたかをその刻印により目視確認することができる。カシメスリーブは各種ケーブルの抗張力線のサイズに対応するものを任意に用いることができるので、適用範囲が広い牽引端治具となる。また、牽引端治具は繰返しの使用が可能となる。
【００１０】
【発明の実施の形態】
以下に、本発明に係るケーブル牽引端治具の具体的実施形態を図面を参照して詳細に説明する。
図１は実施形態に係る光ケーブル牽引端治具の使用状態説明図と牽引対象の光ケーブルの先端部斜視図を示し、図２に牽引端治具の縦断面図および横断面図を示す。
【００１１】
牽引対象の光ケーブル１０は心線部に光ケーブル抗張力線１２を有しており、端末処理として光ケーブル１０の外皮を取り除いて抗張力線１２の先端を所定長だけ露出させる。そして、図１（２）に示しているように、この抗張力線１２の先端にカシメスリーブ１４を圧着結合させている。実施形態に係る光ケーブル牽引端治具１６は前記カシメスリーブ１４を利用して牽引するようにしている。
【００１２】
牽引端治具１６は円柱体から構成される治具本体１８を有し、この治具本体１８の端部側には前記光ケーブル抗張力線１２の挿通溝穴２０とカシメスリーブ１４との嵌入溝穴２２を段差を付けて連続形成している。すなわち、治具本体１８の最端部側には、外周面から中心部に至る半径方向に沿った溝穴２０を形成しており、この溝穴２０の幅は抗張力線１２の直径より若干大きい寸法とされ、抗張力線１２を治具本体１８に平行にした状態で挿入できるように形成している。そして、この抗張力線１２の挿入溝穴２０に連接して、治具本体１８には前記カシメスリーブ１４を嵌入し得るサイズの幅寸法を有する拡幅された嵌入溝穴２２がやはり治具本体１８の半径方向に沿って、抗張力線挿入溝穴２０と同一方向に形成されている。これにより抗張力線挿入溝穴２０とこれに連接されたカシメスリーブ嵌入溝穴２２との間に段差面２４が形成され、カシメスリーブ１４を取付けた抗張力線１２を装着したとき、カシメスリーブ１４の端面が段差面２４に係合して光ケーブル１０の抜け止めが図られている。
【００１３】
このような治具本体１８の外周面には、少なくとも前記カシメスリーブ１４の嵌入溝穴２２の開口部を開閉する閉鎖カバー２６を常閉方向に付勢して取付けている。これは具体的には、図２に示すように、カシメスリーブ１４の嵌入溝穴２２の開口部を覆うスリーブ状の閉鎖カバー２６を治具本体１８の外周面に軸方向摺動可能に装着したもので、その一端面をスプリング２８によって弾圧付勢している。スプリング２８による付勢方向は光ケーブル１０側に向けられており、付勢力に抗して閉鎖カバー２６を開放したとき、抗張力線挿入溝穴２０とカシメスリーブ嵌入溝穴２２とが同時に開口するようにしている。閉鎖カバー２６のストッパ段部３０が前記穴の段差面２４より抗張力線挿入溝穴２０側寄りに位置して形成されている。
【００１４】
一方、光ケーブル１０の装着側と反対側の治具本体端部には雄ねじ３２が形成されており、またこれに螺合する雌ねじ３４が内周面に形成されたコップ容器状の端面スリーブ３６が螺着結合されている。この端面スリーブ３６の開口先端縁は前記スプリング２８の支承面とされている。また、当該端面スリーブ３６の内部にはボール継手３８が内挿されている。このボール継手３８は、一対の円盤３８Ａ、３８Ｂの間にボール３８Ｃを介在させたもので、両円盤３８Ａ、３８Ｂが相対回転できるようにしている。一方の円盤３８Ａにはロッド４０が固着され、このロッド４０は端面スリーブ３６の端面板を貫通して外部に突出され、突出端に連結ブラケット４２を取付けている。連結ブラケット４２には牽引ロープ等が連結される。これにより、治具本体１８に対し、連結ブラケット４２が独立回転可能となり、光ケーブルの撚りによる影響がブラケット４２側に伝達されない構成となっている。なお、連結ブラケット４２の回転が円滑に行われるように、前記円盤３８Ａと端面スリーブ３６の内端面との間にメタルが装着されている。
【００１５】
上述した牽引治具１６は抗張力線１２の端部に連結された状態で、光ケーブル１０に損傷を与えないようにカバーを取付けるようにしている。これは図３および図４に示すように、牽引治具１６の全体を覆ってこれを保護する防護カバー４４を有するとともに、当該防護カバー４４の一端は円錐形状とするとともに、光ケーブル差込み端部側は光ケーブル１０の先端部が同時に嵌入できるように開口させている（図３）。そして、この開口部には、光ケーブル１０の防護用のプラグ４６を差込み挿入するようにしている。防護プラグ４６は光ケーブル抗張力線１２の貫通孔４８を形成するとともに、この貫通孔４８に続いて光ケーブル１０の端部挿入孔５０が形成されている。また、防護プラグ４６の後端部は円錐形状に形成されている。
【００１６】
このように構成された光ケーブル牽引端治具１６を用いた作業は次のようになる。牽引端治具１６の取付け作業は、まず、光ケーブル１０の抗張力線１２の外皮被覆を取り除き、抗張力線１２の先端部にカシメスリーブ１４を圧着工具によりカシメて取付ける。一方、牽引端治具１６の閉鎖カバー２６をスプリング２８に抗して開け、開放された抗張力線挿入溝穴２０とカシメスリーブ嵌入溝穴２２内にカシメスリーブ１４が取付けられた抗張力線１２を落とし込み、閉鎖カバー２６を離す。閉鎖カバー２６はカシメスリーブ嵌入溝穴２２を閉鎖し、カシメスリーブ１４が脱落することを防止する。取り外す作業は上述と逆の操作を行うことにより簡単にできる。
【００１７】
なお、上記実施形態ではカシメスリーブ１４を交換することによって集合ドロップケーブルや幹線系ケーブル等各種ケーブルサイズに適応できる。牽引張力は抗張力線１２にのみ加わり、かつ光ケーブル１０の先端と牽引端部分は防護カバー４４と防護プラグ４６により保護されているため、光ケーブル心線に悪影響を与えることが防止される。また、光ケーブルのみならず、一般のケーブル牽引をなす場合に適用できるのはいうまでもない。
【００１８】
このような実施形態では、光ケーブル牽引治具１６の着脱ができ、作業性が大幅に向上するとともに、防護カバー４４、防護プラグ４６により形成される防護体の両端が円錐形状となっており、光ケーブル先端の金車内通過が円滑に行われ、牽引作業性が非常に良好となる。
【００１９】
【発明の効果】
以上説明したように、本発明によれば、牽引端作成作業に特殊な施行技術を要することなく、誰でも簡単に短時間で牽引端を作成することができ、作業時間を大幅に短縮することができる。また、牽引端本体の繰返し使用が可能であり、また、ケーブル抗張力線へのカシメスリーブの刻印を目視確認することができるため、所定の把持力が得られたかを間違いなく確認できる。また、光ケーブルへの影響がないため、光ケーブル架設後の光ケーブル心線品質を向上できる効果が得られる。
【図面の簡単な説明】
【図１】実施形態に係る光ケーブル牽引端治具の使用状態斜視図と光ケーブル端部の説明用斜視図である。
【図２】実施形態に係る光ケーブル牽引端治具の縦断面図および横断面図である。
【図３】防護カバーの取付け状態の側面図である。
【図４】防護カバー着脱前後の光ケーブル牽引治具の斜視図である。
【符号の説明】
１０        光ケーブル
１２        抗張力線
１４        カシメスリーブ
１６        牽引端治具
１８        治具本体
２０        抗張力線挿入溝穴
２２        カシメスリーブ嵌入溝穴
２４        段差面
２６        閉鎖カバー
２８        スプリング
３０        ストッパ段部
３２        雄ねじ
３４        雌ねじ
３６        端面スリーブ
３８        ボール継手
３８Ａ      円盤
３８Ｂ      円盤
３８Ｃ      ボール
４０        ロッド
４２        連結ブラケット
４４        防護カバー
４６        防護プラグ
４８        貫通孔
【図１】
0003839109.tif 000002
【図２】
0003839109.tif 000003
【図３】
0003839109.tif 000004
【図４】
0003839109.tif 000005